(57)【特許請求の範囲】
【請求項１】
株価データセットとニュース記事セットとを格納する格納手段と、
前記格納手段の株価データセットを用いてユーザに指定された銘柄の株価チャートを作成する株価データ管理手段と、
前記格納手段のニュース記事セットから前記ユーザに指定された銘柄の関連ニュース記事を検索するニュース記事管理手段と、
前記検索した関連ニュース記事の件数が予め設定した基準よりも多ければユーザに指定された、掲載サイト、掲載紙、掲載面、掲載位置、見出し又は段組の大きさ、記事の文字数、引用回数、参照回数の少なくとも何れかのニュース記事の属性を用いて検索した関連ニュース記事の絞り込みを行うニュース記事絞込み手段と、
前記株価チャートと前記絞り込んだ関連ニュース記事との対応付けを行うマッピング手段と、
ある銘柄の株価変動と関連を有する関連銘柄を検索する関連銘柄管理手段とを備え、
前記関連銘柄管理手段は、前記株価チャートの株価変動と関連を有する関連銘柄を検索し、さらに、前記ニュース記事管理手段は、該関連銘柄のニュース記事の検索提示を行うことを特徴とした情報処理装置。
【発明の詳細な説明】
【０００１】
【発明の属する技術分野】
本発明は、株価チャートと、注目するものに絞り込まれた関連ニュース記事とを連携して提示する情報処理装置に関する。
【０００２】
近年、インターネットの普及や全文データベースの増加に伴い、電子化された大量の株価データやニュース記事が利用できるようになってきた。また、ネット証券の登場により、投資がより身近なものとなった。こうした中で、大量のデータを分析し、役に立つ情報を抽出する技術への期待が高まっている。
【０００３】
【従来の技術】
従来、投資関連サービスとして有名な「Yahoo! Finance」、日経テレコン２１」などのシステムでは、株価チャートや各種経済指標、関連ニュースなどを個別に提示することが行われていた程度であった。
【０００４】
また、株価チャートと関連ニュースを同一画面上に関連付けて表示する情報端末システムに関する従来例は存在する（例えば、特願平０９−１３００８２号、特開平１０−３２０４６９号参照）が、関連ニュースを注目するものに絞り込むことは行われていなかった。
【０００５】
【発明が解決しようとする課題】
上記従来のものは、株価チャートと、注目するものに絞り込まれた関連ニュース記事とを連携して提示することは行われていなかった。そのため、分析対象が長時間にわたり大量の関連ニュース記事が存在するような場合、期間を短くして記事数を減らすことになり、期間全体について株価チャートと関連ニュース記事を突き合わせて分析することで分かるような知識や情報を得ることが困難であった。
【０００６】
本発明は、株価チャートと、注目するものに絞り込まれた関連ニュース記事とを連携して提示し、複数のデータを合わせて分析することで分かるような知識や情報を効率的に得ることを目的とする。
【０００７】
【課題を解決するための手段】
図１は本発明の原理説明図である。図１中、１はユーザ、２ａは制御部、３ａは株価データ管理手段、４ａはニュース記事管理手段、５ａはニュース記事絞込み手段、６ａはニュース記事提示順管理手段、７ａはマッピング手段、８ａは関連銘柄管理手段、９ａはグラフ管理手段、１０ａは格納手段である。
【０００８】
本発明は、前記従来の課題を解決するため次のような手段を有する。
【０００９】
（１）：株価データセットとニュース記事セットとを格納する格納手段１０ａと、前記格納手段１０ａの株価データセットを用いてユーザに指定された銘柄の株価チャートを作成する株価データ管理手段３ａと、前記格納手段１０ａのニュース記事セットから前記ユーザに指定された銘柄の関連ニュース記事を検索するニュース記事管理手段４ａと、前記検索した関連ニュース記事の件数が予め設定した基準よりも多ければユーザに指定された、掲載サイト、掲載紙、掲載面、掲載位置、見出し又は段組の大きさ、記事の文字数、引用回数、参照回数の少なくとも何れかのニュース記事の属性を用いて検索した関連ニュース記事の絞り込みを行うニュース記事絞込み手段５ａと、前記株価チャートと前記絞り込んだ関連ニュース記事との対応付けを行うマッピング手段７ａとを備える。このため、注目するものに絞り込まれた関連ニュース記事を連携して提示し、複数のデータを合わせて分析することで分かるような知識や情報を効率的に得ることができる。
【００１０】
（２）：前記（１）の情報処理装置において、ニュース記事の提示順を決定するニュース記事提示順管理手段６ａを備え、前記ニュース記事提示順管理手段６ａは、前記絞り込んだ関連ニュース記事をニュース記事の属性を用いて提示順を決定する。このため、特に注目すべきニュース記事を最初に提示することができる。
【００１１】
（３）：前記（１）の情報処理装置において、前記マッピング手段７ａは、前記株価チャートへ間接的に前記関連ニュース記事をマッピングする。このため、提示するニュース記事が多くなっても繁雑になることを防止できる。
【００１２】
（４）：前記（１）〜（３）の情報処理装置において、ある銘柄の株価変動と関連を有する関連銘柄を検索する関連銘柄管理手段８ａを備え、前記関連銘柄管理手段８ａは、前記株価チャートの株価変動と関連を有する関連銘柄を検索し、該関連銘柄のニュース記事の提示を行う。このため、当該銘柄と関連のある関連銘柄のニュース記事を合わせて見ることができ、効率的な分析を行うことができる。
【００１３】
（５）：前記（１）の情報処理装置において、ニュース記事の件数グラフを作成するグラフ管理手段９ａを備え、前記グラフ管理手段９ａは、前記絞り込みを行った関連ニュース記事の件数をグラフで前記株価チャートと併置する。このため、株価の変動とニュース記事の件数変動を容易に比較することができ、効率的な分析を行うことができる。
【００１４】
【発明の実施の形態】
（１）：情報処理装置の説明
図２は本発明の実施の形態における情報処理装置の説明図である。図２において、情報処理装置のシステム構成には、ＧＵＩ（Graphical User Interface）モジュール２、株価データ管理モジュール３、ニュース記事管理モジュール４、ニュース記事絞込みモジュール５、ニュース記事提示順管理モジュール６、マッピングモジュール７、関連銘柄管理モジュール８、グラフ管理モジュール９、株価データセット１０、ニュース記事セット１１が設けてある。
【００１５】
ＧＵＩモジュール２は、ユーザ１により与えられた指示（銘柄、期間等）に対して、各モジュール３〜９の制御を行い、ユーザ１に各種の情報を提示する制御部である。株価データ管理モジュール３は、株価データセット１０からのデータにより株価チャートを作成する株価データ管理手段である。ニュース記事管理モジュール４は、ニュース記事セット１１から関連ニュース記事を検索するニュース記事管理手段である。ニュース記事絞込みモジュール５は、ユーザ１により指定された方法で関連ニュース記事の絞込みを行うニュース記事絞込み手段である。ニュース記事提示順管理モジュール６は、ユーザ１により指定された方法でニュース記事の提示順を決定するニュース記事提示順管理手段である。マッピングモジュール７は、関連ニュース記事をユーザ１により指定された方法で株価チャートへマッピングを行う（株価チャートと関連ニュースの対応付けを行う）マッピング手段である。関連銘柄管理モジュール８は、関連銘柄の検索を行う関連銘柄管理手段である。グラフ管理モジュール９は、絞込みを行ったニュース記事の件数グラフの作成を行うグラフ管理手段である。株価データセット１０は、株価データを格納する格納手段である。ニュース記事セット１１はニュース記事を格納する格納手段である。
【００１６】
（２）：株価チャートとニュース記事の提示の説明
図３は株価チャートとニュース記事の提示処理フローチャートである。以下、図３の処理Ｓ１〜Ｓ４に従って説明する。
【００１７】
Ｓ１：ＧＵＩモジュール２は、ユーザ１により与えられた指示（銘柄、期間等）に対して、株価データ管理モジュール３を用いて株価チャートを作成する。
【００１８】
Ｓ２：ＧＵＩモジュール２は、同じ銘柄および期間について、ニュース記事管理モジュール４を用いて関連ニュース記事の検索を行う。
【００１９】
この検索は、銘柄名をキーとして検索してもよいし、記事に関連企業が割り付けられている場合にはそれを用いてもよい。
【００２０】
銘柄の代わりに、市場の動きを反映する指数や、業界の株価の動きを反映する指数を用いる場合には、「ＴＯＰＩＸ（東証株価指数）」、「ＧＤＰ（国内総生産）」、「パソコン売上高」のような一般的な経済指標を表す語などをキーとして検索を行う。業界の株価の動きを反映する指数を用いる場合には別の方法として、業界に属する各銘柄の関連ニュース記事の検索を行い、その結果すべて、あるいは多くの銘柄の関連ニュース記事となっている記事を用いてもよい。
【００２１】
Ｓ３：ＧＵＩモジュール２は、ニュース記事絞込みモジュール５を用いて、ユーザ１により指定された方法で関連ニュース記事の絞り込みを行う。
【００２２】
検索結果の関連ニュース記事が多いかどうかの判断は、多さの基準を予め設定しておく（即ち、関連ニュース記事が多い場合は絞り込み画面を表示する）、なお、対話的にユーザ１がその設定を変更してもよい。
【００２３】
Ｓ４：ＧＵＩモジュール２は、ニュース記事提示順管理モジュール６及びマッピングモジュール７を用いて、株価チャート及び関連ニュースを、ユーザ１により指定された提示順及びマッピング方法で提示する。
【００２４】
このように、株価チャートと、注目するものに絞り込まれた関連ニュース記事を連携して提示することで、複数のデータを合わせて分析することで分かるような知識や情報を効率的に得ることが可能となる。
【００２５】
図４は銘柄Ａ社に関する提示例の説明図である。図４において、１９９７年から２０００年における銘柄Ａ社に関する提示例を示している。図４の下部が株価チャート、上部が関連ニュース記事一覧である。この例では、ユーザ１が主なニュースを知るために、絞り込み条件として「掲載面が一面」を指定している。株価チャート上の矢印は、その時点で関連ニュース記事が掲載されたことを表している。矢印上部の番号は、対応する関連ニュース記事の一覧における番号である。このように、株価チャートと、注目するものに絞り込まれた関連ニュース記事を連携して提示することで、株価の動きとニュースとの関係を直観的に見ることができ、効率的な分析が可能となる。
【００２６】
この例では、市場全体の動きと比較できるように、株価チャートに当該銘柄に加え、ＴＯＰＩＸを提示している。株価チャートは当該銘柄以外に、ＴＯＰＩＸや関連銘柄などの複数銘柄を提示してもかまわない。複数銘柄を一緒に提示し比較することにより、注目すべき銘柄や期間を明確にすることができる。
【００２７】
銘柄の代わりに、市場の動きを反映するＴＯＰＩＸなどの指数や、ある業界の株価（その業界に属する銘柄の株価）の動きを反映する指数を用いてもよい。
【００２８】
この例では、関連ニュース記事一覧に、記事の見出しを提示しているが、記事のキーワードや要約などを提示してもかまわない。
【００２９】
（３）：ニュース記事の属性を用いた絞り込みの説明
関連ニュースの数が多い場合などに、ニュース記事の属性を用いて注目するニュース記事への絞り込みを行うことで、効率的な分析手段を提供することができる。即ち、ニュース記事の属性として次のような属性を用いることで、注目する関連ニュース記事へと絞り込みを行い効率的な分析手段を提供することができる。なお、ニュース記事の属性は、単独で用いるだけでなく、複数を組み合わせて用いてもよい。このような多様な絞り込み方法を用いることで、ユーザは自分の注目する記事へと絞り込みを行うことが容易となり、また、様々な観点から分析を行うことが可能となる。
【００３０】
絞り込み方法は、新聞記事あるいはウエブ（ＷＥＢ）ページ（ホームページ）を対象としている。新聞記事あるいはＷＥＢページのどちらか一方のみでしか定義されない属性もあるが、適宜対象において定義される属性を用いるものとする。
【００３１】
・掲載紙／ＷＥＢサイト
掲載紙／ＷＥＢサイトはどこか。ニュース記事の掲載紙／ＷＥＢサイトに関する情報は、ユーザの注目するニュース記事に絞り込む材料として用いることができる。
【００３２】
・掲載日時
ニュース記事の掲載日時はいつか。新しいニュース記事ほど重要、あるいは、特定の期間のニュース記事に注目、などの場合がある。
【００３３】
・掲載面
ニュース記事の掲載面はどこか（一面、経済面など）。掲載面に関する情報は、ニュースの重要度や内容によりユーザの注目するニュース記事に絞り込む材料として用いることができる。
【００３４】
・紙面内の掲載位置
ニュース記事の紙面内の掲載位置はどこか。新聞記事の場合、紙面内の掲載位置はニュースの重要度を判定する材料として用いることができる。
【００３５】
・見出しや段組みの大きさ
ニュース記事の見出しや段組みの大きさ。ニュース記事の見出しや段組みが大きいほど、一般に重要度の高いニュース記事と考えられる。
【００３６】
・文字数
ニュース記事の文字数。ニュース記事の長さ（文字の多さ）とニュース記事の重要度の高さとは、ある程度の相関があると考えられる。
【００３７】
・特定のキーワードの有無や頻度
ニュース記事中に、特定のキーワードを含むかどうか、含む場合はその頻度はどうか。キーワードにより絞り込むことにより、ユーザが注目するニュース記事へと絞り込むのに有効と考えられる。
【００３８】
・テーマ
提携、新製品発表など、ニュース記事が何に関するものであるか。テーマは、記事に既に割り付けられたものを利用してもよい。
【００３９】
・引用回数／リンク数
ニュース記事が何回引用されたか、あるいは他のいくつのページからリンクされているか。
【００４０】
・参照回数／アクセス回数
ニュース記事が何回参照されたか、あるいは何回アクセスされたか。
【００４１】
・株価変動への影響力
統計的に見た、ニュース記事の株価変動への影響力の大きさ。株価変動と出たニュースとの関係を予め調べておき、例えば株価変動が上昇するニュース（例、提携関係ニュース）により絞り込みを行うものである。詳しくは、特願２００１−４８４８２「比較分析装置」参照。
【００４２】
・見出しに銘柄名が含まれるか
ニュース記事の見出しに銘柄名が含まれるか。含まれる場合は、一般にその銘柄がニュースの中心的役割を果たす可能性が高いものである。
【００４３】
図５は絞り込み条件を記事のテーマが提携関連の場合の説明図である。図５において、１９９７年から２０００年における銘柄Ａ社に関する提示例を示している。図５の下部が株価チャート、上部が関連ニュース記事一覧である。この例では、ユーザが主なニュースを知るために、絞り込み条件として「提携関連」を指定している。株価チャート上の矢印は、その時点で関連ニュース記事が掲載されたことを表している。矢印上部の番号は、対応する関連ニュース記事の一覧における番号である。
【００４４】
この例では、市場全体の動きと比較できるように、株価チャートに当該銘柄に加え、ＴＯＰＩＸを提示している。
【００４５】
（４）：ニュース記事の提示順を決定する場合の説明
ニュース記事の属性を用いて注目するニュース記事の提示順を決定することで効率的な分析手段を提供することができる。即ち、ニュース記事の属性として前記（３）のニュース記事の絞り込みの属性と同じ属性を用いて、注目するニュース記事の提示順を決定することで効率的な分析手段を提供することができる。但し、ニュース記事の絞り込みを行う際に用いた属性と、提示順を決定するために用いる属性とは異なってもかまわない。
【００４６】
提示順を決定するために用いる属性の主な例としては、ニュース記事の掲載日時、ニュース記事の文字数、特定のキーワードの頻度、株価変動の大きさ等がある。
【００４７】
図６は提示順をニュース記事の文字数にした場合の説明図である。図６において、１９９７年から２０００年における銘柄Ａ社に関する提示例を示している。図６の下部が株価チャート、上部が関連ニュース記事一覧である。この例では、ユーザが主なニュースを知るために、絞り込み条件として「掲載面が一面」を指定し、提示順をニュース記事の「文字数」としている。株価チャート上の矢印は、その時点で関連ニュース記事が掲載されたことを表している。矢印上部の番号は、対応する関連ニュース記事の一覧における番号である。関連ニュース記事の提示順は、上から文字数の多い番号４、番号５、番号３、番号１、番号２の順となっている。
【００４８】
この例では、市場全体の動きと比較できるように、株価チャートに当該銘柄に加え、ＴＯＰＩＸを提示している。
【００４９】
（５）：ニュース記事の株価チャートへのマッピングの説明
ニュース記事の株価チャートへのマッピングを直接的あるいは間接的に行うことで効率的な分析手段を提供することができる。即ち、次のマッピング方法により注目する関連ニュース記事を株価チャートへとマッピングすることで、効率的な分析手段を提供することができる。
【００５０】
・直接、株価チャート上にマッピング
株価チャート上にニュース記事が直接対応付けられるため、ニュース記事が多くない場合には直観的で分かり易いマッピングである（図７参照）。但し、ニュース記事が多くなると、煩雑になる可能性がある。
【００５１】
・株価チャート上に番号付きアイコン（矢印など）を設け、同じ番号をニュース記事一覧にも振る
株価チャートとニュース記事の対応付けが間接的であるため直観的な分かりやすさは少し劣るが、ニュース記事が多くても表示が煩雑になることはあまりない（図４〜図６参照）。
【００５２】
図７は直接株価チャート上にマッピングする場合の説明図である。図７において、１９９７年から２０００年における銘柄Ａ社に関する提示例を示している。図７の下部が株価チャートであり、上部が関連ニュース記事である。この例では、ユーザが主なニュースを知るために、絞り込み条件として「掲載面が一面」を指定している。株価チャート上の矢印は、その時点で関連ニュース記事が掲載されたことを表している。矢印上部には、矢印に対応する関連ニュース記事が直接設けられている。
【００５３】
この例では、市場全体の動きと比較できるように、株価チャートに当該銘柄に加え、ＴＯＰＩＸを提示している。
【００５４】
（６）：関連銘柄のニュース記事の提示の説明
株価変動と関連がありそうな関連銘柄のニュース記事の提示を行うことで効率的な分析手段を提供することができる。
【００５５】
一般にある銘柄の株価変動は、その銘柄そのものに関する出来事（ニュース）に影響されるだけではなく、関連銘柄（同業他社、取引先、メインバンク、株主などの資本関係等）の出来事（ニュース）にも影響される。従って、関連ニュースとして、当該銘柄のニュースを提示するだけではなく、当該銘柄の関連銘柄のニュースのうちで、当該銘柄の株価変動と関連のあると思われるものを提示することは有効である。
【００５６】
図８は関連銘柄のニュース記事提示処理フローチャートである。以下、図８の処理Ｓ１１〜Ｓ１４に従って説明する。
【００５７】
Ｓ１１：ＧＵＩモジュール２は、関連銘柄管理モジュール８を用いてユーザ１により与えられた期間と銘柄Ａについて、その銘柄Ａの各関連銘柄Ｘのうち、前記与えられた期間において、銘柄Ａと同じような大きな株価変動を示した銘柄を、当該銘柄の株価変動と関連があると思われる銘柄Ｙとして抽出する。
【００５８】
Ｓ１２：ＧＵＩモジュール２は、各銘柄Ｙおよび同じ期間について、ニュース記事管理モジュール４を用いてニュース記事の検索をして、提示を行う。
【００５９】
Ｓ１３：ＧＵＩモジュール２は、ニュース記事絞込みモジュール５を用いて、ユーザ１により指定された方法でニュース記事の絞り込みを行う。
【００６０】
Ｓ１４：ＧＵＩモジュール２は、ニュース記事提示順管理モジュール６及びマッピングモジュール７を用いて、株価チャート及びニュース記事を、ユーザ１により指定された提示順及びマッピング方法で提示する。
【００６１】
図９は関連銘柄のニュース記事提示の説明図である。図９において、１９９９年１０月１日から１９９９年１０月２９日における銘柄Ａ社と関連銘柄Ｇ社に関する提示例を示している。図９の下部がＡ社とＧ社の株価チャートであり、上部が関連ニュース記事である。この例では、関連銘柄として、Ａ社のメインバンクであるＧ社が当該時期において、Ａ社と同じように株価変動が大きかった（同じような変動をしている）ため抽出され、また、ユーザが主なニュースを知るために、絞り込み条件として「掲載面が経済面」を指定している。株価チャート上の矢印は、その時点で関連ニュース記事が掲載されたことを表している。矢印上部の番号は、対応する関連ニュース記事の一覧における番号である。
【００６２】
更に、この例では市場全体の動きと比較できるように、株価チャートに当該銘柄に加え、ＴＯＰＩＸを提示している。
【００６３】
（７）：ニュース記事の件数をグラフで提示する場合の説明
絞り込みを行ったニュース記事の件数をグラフで株価チャートと併置することで効率的な分析手段を提供するものである。このグラフと株価チャートの増減等を比較することにより、株価変動と絞り込み属性（例えば、キーワードやテーマ等）との関係を推測するのに役立てることができる。
【００６４】
図１０はニュース記事の件数をグラフで提示する処理フローチャートである。以下、図１０の処理Ｓ２１〜Ｓ２５に従って説明する。
【００６５】
Ｓ２１：ＧＵＩモジュール２は、ユーザ１により指定された銘柄および期間について、株価データ管理モジュール３を用いて株価チャートを作成する。
【００６６】
Ｓ２２：ＧＵＩモジュール２は、同じ銘柄および期間について、ニュース記事管理モジュール４を用いて、銘柄の関連ニュース記事の検索を行う。
【００６７】
Ｓ２３：ＧＵＩモジュール２は、ニュース記事絞込みモジュール５を用いて、ユーザ１により指定された方法で関連ニュース記事の絞り込みを行う。
【００６８】
Ｓ２４：ＧＵＩモジュール２は、グラフ管理モジュール９を用いて、絞り込み結果の関連ニュース記事件数を元に件数グラフを作成する。
【００６９】
Ｓ２５：ＧＵＩモジュール２は、ユーザ１に株価チャート及び件数グラフを提示する。
【００７０】
図１１はニュース記事の件数をグラフで提示する場合の説明図である。図１１において、１９９７年から２０００年における銘柄Ａ社に関して、絞り込みテーマが「提携関連」のニュース記事の件数グラフ提示を行ったものである。下部がＡ社の株価チャートであり、上部がニュース記事の件数グラフである。この両者のグラフの形が似ているため、Ａ社の株価変動と提携との間に何らかの関連があることがわかる。
【００７１】
また、この例では市場全体の動きと比較できるように、株価チャートに当該銘柄に加え、ＴＯＰＩＸを提示している。
【００７２】
（８）：プログラムインストールの説明
制御部２ａ、株価データ管理手段３ａ、ニュース記事管理手段４ａ、ニュース記事絞込み手段５ａ、ニュース記事提示順管理手段６ａ、マッピング手段７ａ、関連銘柄管理手段８ａ、グラフ管理手段９ａ、ＧＵＩモジュール２、株価データ管理モジュール３、ニュース記事管理モジュール４、ニュース記事絞込みモジュール５、ニュース記事提示順管理モジュール６、マッピングモジュール７、関連銘柄管理モジュール８、グラフ管理モジュール９等は、プログラムで構成でき、主制御部（ＣＰＵ）が実行するものであり、主記憶に格納されているものである。このプログラムは、一般的な、コンピュータで処理されるものである。このコンピュータは、主制御部、主記憶、ファイル装置、表示装置、キーボード等の入力手段である入力装置などのハードウェアで構成されている。
【００７３】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。そして、このファイル装置から処理に必要なプログラムステップを主記憶に読み出し、主制御部が実行するものである。このプログラムをコンピュータにインストールすることで、株価チャートと注目するものに絞り込まれた関連ニュース記事とを連携して提示し、複数のデータを合わせて分析することで分かるような知識や情報を効率的に得ることができる情報処理装置を容易に提供することができる。
【００７４】
〔以下付記を記載する〕
（付記１）  情報を格納する格納手段と、
前記格納手段の株価データを用いて株価チャートを作成する株価データ管理手段と、
前記格納手段から前記株価チャートの関連ニュース記事を検索するニュース記事管理手段と、
前記検索した関連ニュース記事をニュース記事の属性を用いて絞り込みを行うニュース記事絞込み手段と、
前記株価チャートと前記絞り込んだ関連ニュース記事との対応付けを行うマッピング手段とを備えることを特徴とした情報処理装置。
【００７５】
（付記２）  ニュース記事の提示順を決定するニュース記事提示順管理手段を備え、
前記ニュース記事提示順管理手段は、前記絞り込んだ関連ニュース記事をニュース記事の属性を用いて提示順を決定することを特徴とした付記１記載の情報処理装置。
【００７６】
（付記３）  前記マッピング手段は、前記株価チャートへ直接的に前記関連ニュース記事をマッピングすることを特徴とした付記１記載の情報処理装置。
【００７７】
（付記４）  前記マッピング手段は、前記株価チャートへ間接的に前記関連ニュース記事をマッピングすることを特徴とした付記１記載の情報処理装置。
【００７８】
（付記５）  ある銘柄の株価変動と関連を有する関連銘柄を検索する関連銘柄管理手段を備え、
前記関連銘柄管理手段は、前記株価チャートの株価変動と関連を有する関連銘柄を検索し、該関連銘柄のニュース記事の提示を行うことを特徴とした付記１〜４のいずれかに記載の情報処理装置。
【００７９】
（付記６）  ニュース記事の件数グラフを作成するグラフ管理手段を備え、  前記グラフ管理手段は、前記絞り込みを行った関連ニュース記事の件数をグラフで前記株価チャートと併置することを特徴とした付記１記載の情報処理装置。
【００８０】
（付記７）  株価データとニュース記事を格納する格納手段の株価データを用いて株価チャートを作成する株価データ管理手段と、
前記格納手段から前記株価チャートの関連ニュース記事を検索するニュース記事管理手段と、
前記検索した関連ニュース記事をニュース記事の属性を用いて絞り込みを行うニュース記事絞込み手段と、
前記株価チャートと前記絞り込んだ関連ニュース記事との対応付けを行うマッピング手段として、
コンピュータを機能させるためのプログラム又はプログラムを記録したコンピュータ読取可能な記録媒体。
【００８１】
【発明の効果】
以上説明したように、本発明によれば次のような効果がある。
【００８２】
（１）：株価データ管理手段で格納手段の株価データを用いて株価チャートを作成し、ニュース記事管理手段で格納手段から前記株価チャートの関連ニュース記事を検索し、ニュース記事絞込み手段で検索した関連ニュース記事をニュース記事の属性を用いて絞り込みを行い、マッピング手段で株価チャートと絞り込んだ関連ニュース記事との対応付けを行うため、注目するものに絞り込まれた関連ニュース記事を連携して提示し、複数のデータを合わせて分析することで分かるような知識や情報を効率的に得ることができる。
【００８３】
（２）：ニュース記事提示順管理手段で絞り込んだ関連ニュース記事をニュース記事の属性を用いて提示順を決定するため、特に注目すべきニュース記事を最初に提示することができる。
【００８４】
（３）：マッピング手段で、株価チャートへ間接的に関連ニュース記事をマッピングするため、提示するニュース記事が多くなっても繁雑になることを防止できる。
【００８５】
（４）：関連銘柄管理手段で、株価チャートの株価変動と関連を有する関連銘柄を検索し、該関連銘柄のニュース記事の提示を行うため、当該銘柄と関連のある関連銘柄のニュース記事を合わせて見ることができ、効率的な分析を行うことができる。
【００８６】
（５）：グラフ管理手段で、絞り込みを行った関連ニュース記事の件数をグラフで株価チャートと併置するため、株価の変動とニュース記事の件数変動を容易に比較することができ、効率的な分析を行うことができる。
【図面の簡単な説明】
【図１】本発明の原理説明図である。
【図２】実施の形態における情報処理装置の説明図である。
【図３】実施の形態における株価チャートとニュース記事の提示処理フローチャートである。
【図４】実施の形態における銘柄Ａ社に関する提示例の説明図である。
【図５】実施の形態における絞り込み条件を記事のテーマが提携関連の場合の説明図である。
【図６】実施の形態における提示順をニュース記事の文字数にした場合の説明図である。
【図７】実施の形態における直接株価チャート上にマッピングする場合の説明図である。
【図８】実施の形態における関連銘柄のニュース記事提示処理フローチャートである。
【図９】実施の形態における関連銘柄のニュース記事提示の説明図である。
【図１０】実施の形態におけるニュース記事の件数をグラフで提示する処理フローチャートである。
【図１１】実施の形態におけるニュース記事の件数をグラフで提示する場合の説明図である。
【符号の説明】
１  ユーザ
２ａ  制御部
３ａ  株価データ管理手段
４ａ  ニュース記事管理手段
５ａ  ニュース記事絞込み手段
６ａ  ニュース記事提示順管理手段
７ａ  マッピング手段
８ａ  関連銘柄管理手段
９ａ  グラフ管理手段
１０ａ  格納手段
【図１】
0004907806.tif 000002
【図２】
0004907806.tif 000003
【図３】
0004907806.tif 000004
【図４】
0004907806.tif 000005
【図５】
0004907806.tif 000006
【図６】
0004907806.tif 000007
【図７】
0004907806.tif 000008
【図８】
0004907806.tif 000009
【図９】
0004907806.tif 000010
【図１０】
0004907806.tif 000011
【図１１】
0004907806.tif 000012